(57)【要約】【課題】  情報を伝達する経路において、障害発生に迂回処理を行いたい区間において、区間の出口となる情報中継機器の障害においても短時間での疎通回復を可能とする。【解決手段】  本発明は、情報送信機器から冗長情報中継機器群を構成する情報中継機器に対してマルチキャストMPLS技術によるマルチキャストLSPを設定し、情報送信機器から設定したマルチキャストLSPで冗長情報中継機器群を構成する情報中継機器にパケットを送信し、冗長情報中継機器群内のある情報中継機器Ａが、受信した情報を転送し、情報中継機器Ａに障害が発生した場合には、冗長情報中継機器群内の該情報中継機器Ａとは異なる情報中継機器が情報を転送する。【選択図】  図１
2007074313.tif 000002
【特許請求の範囲】
【請求項１】
情報伝達を行うネットワークにおいて、経路冗長化を行うためのネットワーク冗長制御方法であって、
複数のルータを介して情報が伝達される経路において、該経路に対して情報を送信するルータを情報送信機器とし、該経路において情報を宛先の情報受信機器まで中継するルータを情報中継機器とし、該情報中継機器と、障害時に該情報中継機器の代わりに該情報を中継する複数の情報中継機器から構成される冗長情報中継機器群を有するネットワークにおいて、
前記情報送信機器から前記冗長情報中継機器群内の複数の情報中継機器に対してマルチキャストMPLS技術により同一の情報パケットを複数の対地にコピー転送を行うLSPであるマルチキャストLSPを設定し、
前記情報送信機器から設定したマルチキャストLSPで前記冗長情報中継機器群を構成する情報中継機器にパケットを送信し、
前記冗長情報中継機器群内の情報中継機器Ａが、受信した情報を転送し、
前記情報中継機器Ａに障害が発生した場合には、その後、前記情報送信機器から設定したマルチキャストLSPで前記冗長情報中継機器群を構成する情報中継機器に送信されたパケットを、該冗長情報中継機器群内の該情報中継機器Ａとは異なる情報中継機器Ｂが転送することを特徴とするネットワーク冗長制御方法。
【請求項２】
前記情報送信機器は、前記冗長情報中継機器群の各情報中継機器に対して、情報を転送するための優先順位の情報を該情報中継機器に転送し、該情報中継機器は、該優先順位を自機器内の記憶手段に設定し、
障害が発生した場合には、障害が発生した情報中継機器の次に優先順位の高い情報中継機器において情報を転送する請求項１記載のネットワーク冗長制御方法。
【請求項３】
前記冗長情報中継機器群の前記情報中継機器が正常に動作しているかを確認するために、該冗長情報中継機器群内の該情報中継機器相互に障害検知のためのメッセージの送受信を行い、通信ができなくなった場合には相手の情報中継機器に障害が発生したと判断する、請求項１または２記載のネットワーク冗長制御方法。
【請求項４】
前記冗長情報中継機器群内の前記情報中継機器に対してマルチキャストMPLS技術によるマルチキャストLSPにおいて情報転送の分岐点となる情報中継機器（分岐中継機器）から該冗長情報中継機器群内の該情報中継機器に対して正常に動作しているかを確認するために、該分岐中継機器は、該冗長情報中継機器群内の情報中継機器との間で障害検知のためのメッセージの送受信を行い、通信ができなくなった場合には、相手の情報中継機器に障害が発生したと判断する、請求項１または２記載のネットワーク冗長制御方法。
【請求項５】
前記冗長情報中継機器群内の情報中継機器間において、経路処理プロトコルにより情報転送ができなくなった場合、情報転送元の情報中継機器は、障害が発生したと判定する、または、前記分岐中継機器と該冗長情報中継機器群内の情報中継機器間において、情報転送ができなくなった場合、該分岐中継機器は、回線障害が発生したと判定する請求項１または２記載のネットワーク冗長制御方法。
【請求項６】
障害が発生した場合に、前記分岐中継機器は、前記冗長情報中継機器群内の障害が発生しておらず、かつ、障害が発生した情報中継機器の次に優先順位の高い情報中継機器に対して情報を転送する、請求項４または、５記載のネットワーク冗長制御方法。
【発明の詳細な説明】
【技術分野】
【０００１】
本発明は、ネットワーク冗長制御方法に係り、特に、情報伝達ネットワークにおける経路冗長化を行うためのネットワーク冗長制御方法に関する。
【背景技術】
【０００２】
情報を転送するネットワークにおいて、情報を伝達する経路上の情報中継機器、あるいは、情報中継機器を接続する回線が障害となった場合には、情報を伝達する新たな経路を設定し、情報の疎通を確保することが重要である。
【０００３】
情報を伝達するための新たな経路を設定するための方法としては、障害箇所を迂回するための経路を経路設定プロトコルにより再設定を行う方法と、ＭＰＬＳ(Multi Protocol Label Switching)により想定される障害箇所を迂回するための迂回ＬＳＰ（Label Switched Path）を設定し、障害が発生した場合に迂回ＬＳＰにより情報転送を行う方法がある（例えば、非特許文献１参照）。
【非特許文献１】Ping Pan, “Fast Reroute Extensions to RSVP-TE for LSP Tunnels”.
【発明の開示】
【発明が解決しようとする課題】
【０００４】
しかしながら、経路設定プロトコルにより経路の再設定を行う方法は、疎通回復までの時間がかかる。
【０００５】
ＭＰＬＳを用いた迂回方法は、短時間での疎通回復が可能であるが、ＬＳＰの出口となる情報中継機器の障害においては、経路設定プロトコルによる経路切替に依存し、短時間での疎通回復が困難である。
【０００６】
本発明は、上記の点に鑑みなされたもので、情報を伝達する経路において、障害発生に迂回処理を行いたい区間において、区間の出口となる情報中継機器の障害においても短時間での疎通回復を可能とするネットワーク冗長制御方法を提供することを目的とする。
【課題を解決するための手段】
【０００７】
図１は、本発明の原理構成図である。
【０００８】
本発明（請求項１）は、情報伝達を行うネットワークにおいて、経路冗長化を行うためのネットワーク冗長制御方法であって、
複数のルータを介して情報が伝達される経路において、該経路に対して情報を送信するルータを情報送信機器とし、該経路において情報を宛先の情報受信機器まで中継するルータを情報中継機器とし、該情報中継機器と、障害時に該情報中継機器の代わりに該情報を中継する複数の情報中継機器から構成される冗長情報中継機器群を有するネットワークにおいて、
情報送信機器から冗長情報中継機器群内の複数の情報中継機器に対してマルチキャストMPLS技術により同一の情報パケットを複数の対地にコピー転送を行うLSPであるマルチキャストLSPを設定し（ステップ１）、
情報送信機器から設定したマルチキャストLSPで冗長情報中継機器群を構成する情報中継機器にパケットを送信し（ステップ２）、
冗長情報中継機器群内の情報中継機器Ａが、受信した情報を転送し（ステップ３）、
情報中継機器Ａに障害が発生した場合には（ステップ４）、その後、情報送信機器から設定したマルチキャストLSPで冗長情報中継機器群を構成する情報中継機器に送信されたパケットを（ステップ５）、該冗長情報中継機器群内の該情報中継機器Ａとは異なる情報中継機器Ｂが転送する（ステップ６）。
【０００９】
また、本発明（請求項２）は、請求項１のネットワーク冗長制御方法であって、
情報送信機器は、冗長情報中継機器群の各情報中継機器に対して、情報を転送するための優先順位の情報を該情報中継機器に転送し、該情報中継機器は、該優先順位を自機器内の記憶手段に設定し、
障害が発生した場合には、障害が発生した情報中継機器の次に優先順位の高い情報中継機器において情報を転送する。
【００１０】
また、本発明（請求項３）は、請求項１または、２のネットワーク冗長制御方法であって、
冗長情報中継機器群の情報中継機器が正常に動作しているかを確認するために、該冗長情報中継機器群内の該情報中継機器相互に障害検知のためのメッセージの送受信を行い、通信ができなくなった場合には相手の情報中継機器に障害が発生したと判断する。
【００１１】
また、本発明（請求項４）は、請求項１または２のネットワーク冗長制御方法であって、
冗長情報中継機器群内の前記情報中継機器に対してマルチキャストMPLS技術によるマルチキャストLSPにおいて情報転送の分岐点となる情報中継機器（分岐中継機器）から該冗長情報中継機器群内の該情報中継機器に対して正常に動作しているかを確認するために、該分岐中継機器は、該冗長情報中継機器群内の情報中継機器との間で障害検知のためのメッセージの送受信を行い、通信ができなくなった場合には、相手の情報中継機器に障害が発生したと判断する。
【００１２】
また、本発明（請求項５）は、請求項１または２のネットワーク冗長制御方法であって、
冗長情報中継機器群内の情報中継機器間において、経路処理プロトコルにより情報転送ができなくなった場合、情報転送元の情報中継機器は、障害が発生したと判定する、または、分岐中継機器と該冗長情報中継機器群内の情報中継機器間において、情報転送ができなくなった場合、該分岐中継機器は、回線障害が発生したと判定する。
【００１３】
また、本発明（請求項６）は、障害が発生した場合に、分岐中継機器は、冗長情報中継機器群内の障害が発生しておらず、かつ、障害が発生した情報中継機器の次に優先順位の高い情報中継機器に対して情報を転送する。
【発明の効果】
【００１４】
上記のように本発明によれば、情報転送方式として、マルチキャストMPLS技術によるマルチキャストＬＳＰにより転送する方式を用い、その端点となるルータ（以下、端点ルータと記す）を複数設けた冗長構成としたことにより、送信側端末から送信された情報は、マルチキャストＭＰＬＳにより、複数の端点ルータに到達し、そして、ある一つのルータから受信端末に情報を送信する。当該ルータが故障した場合には、他の端点ルータから情報を転送することが可能であるため、特定の情報中継機器や区間の障害にける経路切替を迅速に行うことでき、サービス断時間を短くなることにより通信の信頼性を確保することができる。
【発明を実施するための最良の形態】
【００１５】
以下、図面と共に本発明の実施の形態を説明する。
【００１６】
［第１の実施の形態］
図２は、本発明の第１の実施の形態におけるネットワーク構成を示す。
【００１７】
情報を伝達するネットワークは、伝達する情報を送信する情報送信端末１と、当該情報送信端末１から送信された情報を受信し、処理する情報受信端末２と、情報送信端末１から送信された情報を情報受信端末２に伝達するための情報伝達機器（ルータ）３〜１１から構成される。
【００１８】
図２において、情報送信端末１から情報受信端末２へ情報を伝達する経路である情報伝達経路ａが経路設定プロトコルにより設定され、実際に情報を伝達する情報伝達機器（ルータ）は、設定された情報伝達経路ａを構成する情報伝達機器３，４，６，８，１１となり、ネットワークを構成する全ての情報伝達機器３〜１１が使用されるわけではない。
【００１９】
図２に示す情報伝達経路ａにおいて、障害発生時に迂回処理を行いたい区間を情報伝達機器３から情報伝達機器９とした場合、当該区間において、情報伝達経路ａに情報を送信する情報送信機器は、図３に示すように、情報伝達機器（ルータ）３となり、情報を中継する情報中継機器は、情報伝達機器（ルータ）４，６，８となる。
【００２０】
ここで、障害が発生した場合に、情報中継機器８の代わりとなり得る別の情報中継機器を、情報中継機器９，１０とし、図４に示すように、冗長情報中継機器群αを構成する。情報中継機器３から冗長情報中継機器群αを構成する情報中継機器８，９，１０に対してマルチキャストMPLS技術により同一の情報パケットを複数の対地にコピー転送を行うLSPであるマルチキャストＬＳＰを設定する。
【００２１】
これにより、図４に示すように、情報中継機器６，７で分岐されたマルチキャストＬＳＰにより、冗長情報中継機器群αを構成する情報中継機器８，９，１０と情報送信機器３間が設定される。
【００２２】
図４の構成によれば、情報送信端末１から情報受信端末２宛に送信された情報は、情報送信機器３からマルチキャストMPLS技術によるマルチキャストLSPにより情報中継機器８，９，１０に転送され、実際に情報受信端末２に向けてのパケット送信は情報中継機器８から送信することにより情報の伝達を行う。
【００２３】
マルチキャストMPLS技術により同一の情報パケットを複数の対地にコピー転送を行うＬＳＰであるマルチキャストＬＳＰの設定にあたり、設定する情報送信機器３は、マルチキャストＬＳＰが冗長迂回を行うためのマルチキャストＬＳＰであること、分岐中継機器を示す情報、冗長情報中継機器を示す情報、冗長情報中継機器を構成する情報中継機器の優先順位を、マルチキャストＬＳＰを構成する情報中継機器に通知する。
【００２４】
上記のような構成において、情報送信端末１から情報を転送する場合、情報送信機器３は、情報中継機器８，９，１０に対して、マルチキャストMPLS技術により同一の情報パケットを複数の対地にコピー転送を行うLSPであるマルチキャストLSPの設定を行い、これらの情報中継機器を冗長情報中継機器群αとする。情報中継機器群α内の各情報中継機器について、優先順位１を情報中継機器８、優先順位２を情報中継機器９、優先順位３を情報中継機器１０とする。このように設定されている環境で、平常時には、情報送信機器３は、情報送信端末１からのパケットを受信すると、最も優先順位の高い情報中継機器８に当該パケットを転送する。
【００２５】
ここで、情報中継機器８に障害が発生すると、分岐中継機器７を介して、情報中継機器８の次に優先順位の高い情報中継機器９にパケットを転送する。
【００２６】
［第２の実施の形態］
本実施の形態では、前述の第１の実施の形態における優先順位の設定方法について説明する。本実施の形態におけるネットワーク構成は前述の第１の実施の形態と同様である。
【００２７】
図５は、本発明の第２の実施の形態における冗長情報中継機器に優先順位を設定する例を示す。
【００２８】
同図に示すように、情報送信機器３が、情報送信端末１から受信したパケットを転送するための優先順位を、冗長情報中継機器群αを構成する情報中継機器８，９，１０に通知すると、情報中継機器８，９，１０は、当該優先順位を各機器のメモリ等の記憶手段に設定する。情報中継機器８，９，１０のそれぞれに、「１」「２」「３」と優先順位を設定する。なお、情報送信機器３自体でも当該優先順位はメモリ等の記憶手段で管理しているものとする。図５では、優先順位が最も高い情報中継機器８が受信したパケットを転送している。
【００２９】
［第３の実施の形態］
本実施の形態では、前述の冗長情報中継機器群αを構成する情報中継機器が正常に動作しているかを確認するための動作について説明する。なお、本実施の形態におけるネットワーク構成は前述の第１の実施の形態と同様である。
【００３０】
図６は、本発明の第３の実施の形態における冗長情報中継機器群の動作監視方法を示す。
【００３１】
本実施の形態では、図６に示すように、冗長情報中継機器群αを構成する情報中継機器８，９，１０において、情報中継機器８，９，１０は相互に正常に動作しているかを確認するためにヘルスチェックメッセージの送受信を行い、ヘルスチェックメッセージの受信ができなくなった場合に、受信できなくなった情報中継機器は情報の転送が実施できなくなったと判断する。図６では、情報中継機器８と情報中継機器９及び１０間のヘルスチェックメッセージの送受信状態を示している。
【００３２】
冗長情報中継機器群αを構成する情報中継機器８，９，１０において、実際に情報を転送している情報中継機器からのみ、他の情報機器に対してヘルスチェックを行うようにしてもよい。
【００３３】
また、冗長情報中継機器群αを構成する情報中継機器８，９，１０において、実際に情報を転送していない情報中継機器９，１０から実際に情報を転送している情報中継機器８に対してヘルスチェックメッセージを送受信することも可能である。
【００３４】
また、冗長情報中継機器群αの情報中継機器８，９，１０は、情報を転送できなくなったと判断するために、ヘルスチェックメッセージの受信状態を監視するが、受信監視時間を設けて、その監視時間内にヘルスチェックメッセージを受信できない場合に、情報を受信しないと判断することも可能である。
【００３５】
［第４の実施の形態］
前述の第３の実施の形態では、冗長情報中継機器間においてヘルスチェックメッセージを送受信する例を示したが、本実施の形態では、分岐中継機器と冗長情報中継機器群間においてヘルスチェックメッセージを送受信して動作を監視する例を説明する。なお、本実施の形態におけるネットワーク構成は前述の第１の実施の形態と同様である。
【００３６】
図７は、本発明の第４の実施の形態における分岐中継機器と冗長情報中継機器群間の動作監視方法を示す。
【００３７】
本実施の形態では、図７に示すように、冗長情報中継機器群αを構成する情報中継機器８，９，１０は、正常に動作しているかを確認するためのヘルスチェックメッセージをマルチキャストＬＳＰにて分岐点となる分岐中継機器６，７に送信する。分岐中継機器６，７は、情報中継機器からヘルスチェックメッセージが受信できなくなると、当該情報中継機器が情報の転送が実施できなくなったと判断する。なお、ヘルスチェックメッセージは、送信する情報中継機器の直近の分岐中継機器に対して送信するものとする。
【００３８】
［第５の実施の形態］
本実施の形態では、前述の第３，４の実施の形態で示したヘルスチェックメッセージによる監視結果を待たずに、障害を検知する例を説明する。なお、本実施の形態におけるネットワーク構成は前述の第１の実施の形態と同様である。
【００３９】
図８は、本発明の第５の実施の形態における障害発生を検知した場合の動作を説明するための図である。
【００４０】
同図に示すように、例えば、冗長情報中継機器群αを構成する情報中継機器８と分岐中継機器６間のリンクが障害となった場合に、ヘルスチェックメッセージの受信監視の状態を待たずに分岐中継機器６は、情報中継機器８が情報の転送が実施できなくなったと判断する。
【００４１】
また、情報中継機器９，１０は、経路処理プロトコルにより情報中継機器８への情報転送ができなくなったことを検出した場合、ヘルスチェックメッセージの受信監視の状態を待たずに、情報中継機器８が情報の転送が実施できなくなったと判断する。
【００４２】
また、図９に示すように、分岐中継機器と情報中継機器において、情報中継機器の動作正常性を確認する場合、分岐中継機器６が実際に情報を転送している情報中継機器８の障害を検出したら、次優先である情報中継機器９に情報転送開始を指示するための情報転送開始メッセージを送信し、合わせて障害となった情報中継機器８に対して情報転送停止メッセージを送信する。情報中継機器９は、報転送開始メッセージを受信すると、情報の転送を開始する。情報中継機器８は、情報転送停止メッセージを受信すると、情報の転送を停止する。
【００４３】
なお、情報中継機器８は、情報転送停止メッセージの受信前に情報転送を停止している場合は、この限りではない。
【００４４】
また、図１０に示すように、分岐中継機器６は、情報中継機器８が障害となっているために、次に優先順位が高い情報中継機器９のみに情報を送信する。この場合、分岐中継機器６は、情報中継機器に情報転送停止を指示するメッセージを送信しなくてもよい。なお、分岐中継機器６は、情報送信機器３から送信された冗長情報中継機器群の各情報中継機器８，９，１０の優先順位をメモリ等の記憶手段において管理しているものとする。
【実施例】
【００４５】
以下、図面と共に本発明の実施例を説明する。
【００４６】
図１１は、本発明の一実施例のＩＰネットワークの構成を示す。
【００４７】
同図に示すＩＰネットワークａは、情報端末１，２、及び複数のルータ３〜１０から構成される。
【００４８】
情報端末２は、ルータ９，１０に同一のイーサネット（登録商標）ワークにより接続されているとする。
【００４９】
ルータ９，１０を冗長情報中継機器群の情報中継機器とし、ルータ３からルータ７を分岐中継機器として、マルチキャストMPLS技術により同一の情報パケットを複数の対地にコピー転送を行うLSPであるマルチキャストＬＳＰを設定する。
【００５０】
マルチキャストＬＳＰの設定は、
・IETFで標準化が進められているExtensions to RSVP-TE for Point to Multipoint TE LSPs “draft-ietf-mpls-rsvp-te-p2mp-01.txt”に、設定されるマルチキャストＬＳＰがマルチキャストMPLS技術により同一の情報パケットを複数の対地にコピー転送を行う冗長迂回を行うためのマルチキャストＬＳＰであること；
・分岐中継機器と情報中継機器を構成する情報中継機器の情報；
・情報中継機器それぞれの優先順位及びヘルスチェックメッセージを情報中継機器間で送受信を実施するか、分岐中継機器と情報中継機器との間で実施するかの指示情報；
を、マルチキャストMPLS技術により同一の情報パケットを複数の対地にコピー転送を行うLSPであるマルチキャストＬＳＰを設定する各ルータにPathメッセージで通知するための新たなオブジェクトを追加して拡張したプロトコルにより設定する。
【００５１】
上記のマルチキャストLSPが設定されたら、新たに追加されたオブジェクトの内容に従い、ルータ９，１０間、または、ルータ７とルータ９、ルータ７とルータ１０間でヘルスチェックメッセージの送受信を行い、動作正常性の確認を行う。
【００５２】
図１２は、本発明の一実施例の平常時のヘルスチェックメッセージの送受信の例を示す。
同図では、分岐中継機器７が情報中継機器９，１０にパケットをコピー転送している状態で、情報中継機器間でヘルスチェックメッセージを行っている平常時の例を示す。
【００５３】
図１３は、本発明の一実施例の障害発生時の場合の例を示す。
【００５４】
図１２に示す状態において、図１３に示すように、ルータ９からのヘルスチェックメッセージをルータ１０で受信できなかった場合に、ルータ１０が情報転送を開始すると共に、ルータ９は転送を停止する。
【００５５】
図１４では、分岐中継機器７が情報中継機器９，１０にパケットをコピー転送している状態で、分岐中継機器７と情報中継機器９，１０間でのヘルスチェックメッセージの送受信を行っている平常時を示している。また、図１５では、図１４の状態において、障害が発生している状態を示しており、ルータ７（分岐中継機器）がルータ９（情報中継機器）からのヘルスチェックメッセージを受信できなかったためにルータ９に対して転送中止メッセージを送信し、ルータ１０に転送開始メッセージを送信する。これにより、ルータ９は転送を中止し、ルータ１０が転送を開始する。
【００５６】
また、図１６では、図１４の状態において障害が発生している状態を示しており、ルータ７（分岐中継機器）がルータ９（情報中継機器）からのヘルスチェックメッセージを受信できなかったために、ルータ９へのパケット転送を停止して、ルータ１０に転送開始メッセージを送信し、これにより、ルータ１０が情報転送を開始する。
【００５７】
なお、本発明は、上記の実施の形態及び実施例に限定されることなく、特許請求の範囲内において種々変更・応用が可能である。
【産業上の利用可能性】
【００５８】
本発明は、マルチキャストMPLSが適用可能なネットワークに適用可能である。
【図面の簡単な説明】
【００５９】
【図１】本発明の原理を説明するための図である。
【図２】本発明の第１の実施の形態におけるネットワーク構成図である。
【図３】本発明の第１の実施の形態における情報送信機器と情報中継機器を示す図である。
【図４】本発明の第１の実施の形態におけるマルチキャストLSPの設定例である。
【図５】本発明の第２の実施の形態における冗長情報中継機器に優先順位を設定する例である。
【図６】本発明の第３の実施の形態における冗長情報中継機器群の動作監視方法を示す図である。
【図７】本発明の第４の実施の形態における分岐中継機器と冗長情報中継機器間の動作監視方法を示す図である。
【図８】本発明の第５の実施の形態における障害発生を検知した場合の動作を説明するための図である。
【図９】本発明の第５の実施の形態における障害発生時のメッセージ送信を説明するための図（その１）である。
【図１０】本発明の第５の実施の形態における障害発生時のメッセージ送信を説明するための図（その２）である。
【図１１】本発明の一実施例のIPネットワークの構成図である。
【図１２】本発明の平常時の例（その１）である。
【図１３】本発明の一実施例の障害発生時の例（その１）である。
【図１４】本発明の一実施例の平常時の例（その２）である。
【図１５】本発明の一実施例の障害発生時の例（その２）である。
【図１６】本発明の一実施例の障害発生時の例（その３）である。
【符号の説明】
【００６０】
１  情報送信端末
２  情報受信端末
３  ルータ、情報送信機器
４  ルータ、情報中継機器
５  ルータ、情報中継機器
６  ルータ、情報中継機器、分岐中継機器
７  ルータ、情報中継機器、分岐中継機器
８  ルータ、情報中継機器、冗長情報中継機器群の情報中継機器
９  ルータ、情報中継機器、冗長情報中継機器群の情報中継機器
１０  ルータ、情報中継機器、冗長情報中継機器群の情報中継機器
１１  ルータ、情報受信機器
１２  情報受信端末
【図１】
2007074313.tif 000003
【図２】
2007074313.tif 000004
【図３】
2007074313.tif 000005
【図４】
2007074313.tif 000006
【図５】
2007074313.tif 000007
【図６】
2007074313.tif 000008
【図７】
2007074313.tif 000009
【図８】
2007074313.tif 000010
【図９】
2007074313.tif 000011
【図１０】
2007074313.tif 000012
【図１１】
2007074313.tif 000013
【図１２】
2007074313.tif 000014
【図１３】
2007074313.tif 000015
【図１４】
2007074313.tif 000016
【図１５】
2007074313.tif 000017
【図１６】
2007074313.tif 000018